(57)【特許請求の範囲】
【請求項１】
複数のＯＮＵ（Ｏｐｔｉｃａｌ  Ｎｅｔｗｏｒｋ  Ｕｎｉｔ）と、前記各ＯＮＵとの間で通信を行うＯＬＴ（Ｏｐｔｉｃａｌ  Ｌｉｎｅ  Ｔｅｒｍｉｎａｌ）とを備えたＧＥＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムにおいて、
前記ＯＮＵは、
前記ＯＬＴからの光信号を受信するＯＮＵ側光受信部と、
予め設定した閾値に基づいて、前記ＯＮＵ側光受信部により受信された光信号の光レベルの劣化を検出する劣化レベル検出回路と、
前記劣化レベル検出回路により光レベルの劣化が検出された場合には、当該光レベルの劣化を示すレベル劣化情報をデータに重畳し、前記ＯＮＵ側光受信部を介して前記ＯＬＴからレベル劣化アラームを受信した場合には、当該レベル劣化アラームが示す障害１次切り分けの実施内容をユーザに通知するＯＮＵ側ＰＯＮ制御部と、
前記ＯＮＵ側ＰＯＮ制御部からのデータを光信号に変換し、前記ＯＬＴに送信するＯＮＵ側光送信部とを備え、
前記ＯＬＴは、
前記各ＯＮＵのＯＮＵ側光送信部からの光信号をデータに変換するＯＬＴ側光受信部と、
前記ＯＬＴ側光受信部により変換されたデータからレベル劣化情報を検出した場合に、当該レベル劣化情報が示す光レベルの劣化に対する障害１次切り分けの実施内容を指示するレベル劣化アラームをデータに重畳するＯＬＴ側ＰＯＮ制御部と、
前記ＯＬＴ側ＰＯＮ制御部からのデータを光信号に変換し、該当するＯＮＵに送信するＯＬＴ側光送信部とを備えた
ことを特徴とするＧＥＰＯＮシステム。
【請求項２】
前記劣化レベル検出回路は、前記閾値に基づいて、前記ＯＮＵ側光受信部により受信された光信号の光レベルの回復を検出し、
前記ＯＮＵ側ＰＯＮ制御部は、前記劣化レベル検出回路により光レベルの回復が検出された場合に、当該光レベルの回復を示すレベル回復情報をデータに重畳し、
前記ＯＬＴ側ＰＯＮ制御部は、前記ＯＬＴ側光受信部により変換されたデータからレベル回復情報を検出した場合に、当該レベル回復情報を保守者に通知する
ことを特徴とする請求項１記載のＧＥＰＯＮシステム。
【請求項３】
前記劣化レベル検出回路は、異なる閾値を有する複数の劣化レベル検出回路からなり、
前記ＯＮＵ側ＰＯＮ制御部は、前記劣化レベル検出回路により光レベルの劣化が検出された場合に、用いた閾値を示す検出レベル情報を含むレベル劣化情報をデータに重畳し、
前記ＯＬＴ側ＰＯＮ制御部は、前記ＯＬＴ側光受信部により変換されたデータからレベル劣化情報を検出した場合に、当該レベル劣化情報に含まれる検出レベル情報に基づいて障害１次切り分け内容を選択し、当該障害１次切り分けの実施を指示するレベル劣化アラームをデータに重畳する
ことを特徴とする請求項１記載のＧＥＰＯＮシステム。
【請求項４】
ＯＬＴとの間で通信を行う複数のＯＮＵにおいて、
前記ＯＬＴからの光信号を受信するＯＮＵ側光受信部と、
予め設定した閾値に基づいて、前記ＯＮＵ側光受信部により受信された光信号の光レベルの劣化を検出する劣化レベル検出回路と、
前記劣化レベル検出回路により光レベルの劣化が検出された場合には、当該光レベルの劣化を示すレベル劣化情報をデータに重畳し、前記ＯＮＵ側光受信部を介して前記ＯＬＴからレベル劣化アラームを受信した場合には、当該レベル劣化アラームが示す障害１次切り分けの実施内容をユーザに通知するＯＮＵ側ＰＯＮ制御部と、
前記ＯＮＵ側ＰＯＮ制御部からのデータを光信号に変換し、前記ＯＬＴに送信するＯＮＵ側光送信部と
を備えたことを特徴とするＯＮＵ。
【請求項５】
前記劣化レベル検出回路は、前記閾値に基づいて、前記ＯＮＵ側光受信部により受信された光信号の光レベルの回復を検出し、
前記ＯＮＵ側ＰＯＮ制御部は、前記劣化レベル検出回路により光レベルの回復が検出された場合に、当該光レベルの回復を示すレベル回復情報をデータに重畳する
ことを特徴とする請求項４記載のＯＮＵ。
【請求項６】
前記劣化レベル検出回路は、異なる閾値を有する複数の劣化レベル検出回路からなり、
前記ＯＮＵ側ＰＯＮ制御部は、前記劣化レベル検出回路により光レベルの劣化が検出された場合には、用いた閾値を示す検出レベル情報を含むレベル劣化情報をデータに重畳し、前記ＯＮＵ側光受信部を介して前記ＯＬＴから、当該検出レベル情報に基づいて選択された障害１次切り分けの実施を指示するレベル劣化アラームを受信した場合には、当該レベル劣化アラームをユーザに通知する
ことを特徴とする請求項４記載のＯＮＵ。
【請求項７】
複数のＯＮＵとの間で通信を行うＯＬＴにおいて、
前記各ＯＮＵからの光信号をデータに変換するＯＬＴ側光受信部と、
前記ＯＬＴ側光受信部により変換されたデータから、前記ＯＮＵで受信された光信号の光レベルの劣化を示すレベル劣化情報を検出した場合に、当該レベル劣化情報が示す光レベルの劣化に対する障害１次切り分けの実施内容を指示するレベル劣化アラームをデータに重畳するＯＬＴ側ＰＯＮ制御部と、
前記ＯＬＴ側ＰＯＮ制御部からのデータを光信号に変換し、該当するＯＮＵに送信するＯＬＴ側光送信部と
を備えたことを特徴とするＯＬＴ。
【請求項８】
前記ＯＬＴ側ＰＯＮ制御部は、前記ＯＬＴ側光受信部により変換されたデータから、前記ＯＮＵで受信された光信号の光レベルの回復を示すレベル回復情報を検出した場合に、当該レベル回復情報を保守者に通知する
ことを特徴とする請求項７記載のＯＬＴ。
【請求項９】
前記ＯＬＴ側ＰＯＮ制御部は、前記ＯＬＴ側光受信部により変換されたデータから、光レベルの劣化検出に用いられた閾値を示す検出レベル情報を含むレベル劣化情報を検出した場合に、当該検出レベル情報に基づいて障害１次切り分け内容を選択し、当該障害１次切り分けの実施を指示するレベル劣化アラームをデータに重畳する
ことを特徴とする請求項７記載のＯＬＴ。
【発明の詳細な説明】
【技術分野】
【０００１】
この発明は、複数の加入者側光回線終端装置（ＯＮＵ：Ｏｐｔｉｃａｌ  Ｎｅｔｗｏｒｋ  Ｕｎｉｔ）と、各ＯＮＵとの間で通信を行う局側光回線終端装置（ＯＬＴ：Ｏｐｔｉｃａｌ  Ｌｉｎｅ  Ｔｅｒｍｉｎａｌ）とを備えたＧＥＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムに関するものである。
【背景技術】
【０００２】
ＧＥＰＯＮシステムは、ＦＴＴＢ（Ｆｉｂｅｒ  ｔｏ  Ｔｈｅ  Ｂｕｉｌｄｉｎｇ）またはＦＴＴＨ（Ｆｉｂｅｒ  Ｔｏ  Ｔｈｅ  Ｈｏｍｅ）などにより、最大伝送速度１ギガビット／秒または２．５ギガビット／秒のインターネットサービスを加入者に提供する光加入者アクセスネットワークシステムである。
このＧＥＰＯＮは、各加入者宅内にそれぞれ設置されるＯＮＵと、センタ局に設置されるＯＬＴと、伝送路を最大３２本ないし６４本に分岐させ、各ＯＮＵとＯＮＵとを接続する光スプリッタなどの光分岐器とから構成されている。この各ＯＮＵとＯＬＴとの間で光分機器を介して通信を行っている。
【０００３】
各ＯＮＵから光分岐器を介してＯＬＴに伝送される上り方向のデジタルデータ信号には、１３１０ｎｍ帯の波長が割り当てられている。また、ＯＬＴから光分岐器を介して各ＯＮＵに伝送される下り方向のデジタルデータ信号（デジタル音声信号も含む）には、１４９０ｎｍ帯の波長が割り当てられ、下り方向の映像用信号（アナログビデオ信号も含む）には、１５５０ｎｍ帯の波長が割り当てられている。
このように、ＧＥＰＯＮシステムでは、複数の波長が割り当てられる波長多重（ＷＤＭ：Ｗａｖｅｌｅｎｇｔｈ  Ｄｉｖｉｓｉｏｎ  Ｍｕｌｔｉｐｌｅｘｉｎｇ）方式を用いることによって、１本の光ファイバで上り信号と下り信号を伝送する一芯双方向光通信を行っている。
【０００４】
ここで、複数のＯＮＵからの上り信号は、パケットあるいはセルと呼ばれる固まりを単位として、個々の上り信号が重なることなく別々のタイミングでＯＬＴに到着するように送出タイミングが制御されている。そして、各上り信号は光分岐器によって単純に重ね合わせられ、ＯＬＴに伝送されている。
【０００５】
また、上記のように動作するＧＥＰＯＮシステムでは、回線上の光信号多重反射による通信品質劣化の問題がある。そこで、ＯＬＴ側で、各ＯＮＵでの光受信レベルを監視し、各ＯＮＵに対する光送信レベルを調整することで、光信号多重反射による通信品質劣化を抑制するＧＥＰＯＮシステムが存在している（例えば特許文献１参照）。
この特許文献１に開示されるＧＥＰＯＮシステムでは、各ＯＮＵに、光受信レベルを検出するアナログデジタルコンバータ（ＡＤＣ）などのレベルモニタ回路が設けられ、検出した光受信レベルをＯＬＴに送信している。ＯＬＴでは、各ＯＮＵからの光受信レベルを監視し、各ＯＮＵとの通信品質が適切になるように各ＯＮＵに対する光送信レベルを調整している。
【先行技術文献】
【特許文献】
【０００６】
【特許文献１】特許第４１６９８７８号公報
【発明の概要】
【発明が解決しようとする課題】
【０００７】
上記のように、ＧＥＰＯＮシステムでは、１つのＯＬＴで複数のＯＮＵと通信を行っている。そのため、ある特定のＯＮＵに通信障害が生じた場合に、他の運用中のＯＮＵに通信障害を与えないように通信障害が生じているＯＮＵのみを復旧させることが重要になる。
このような場合、保守者が、通信障害が生じているＯＮＵが設置されたユーザ宅に出向き、通信障害の調査・部品の交換を行っている。そのため、ユーザ回線が復旧するまでの時間および保守者派遣などによるメンテナンスコストが発生するという課題があった。
【０００８】
また、ＯＮＵの通信障害は多様であり、ＯＮＵ故障（この場合は交換）、光受信レベル劣化やＯＮＵ電源供給断などが想定される。しかしながら、ＯＮＵ故障以外の要因による通信障害では、障害１次切り分け（例えば光ファイバの清掃など）を行うことにより簡単に解決できる場合も多い。今後、ユーザが自分でＯＮＵを光ファイバと接続するＤＩＹ（Ｄｏ  Ｉｔ  Ｙｏｕｒｓｅｌｆ）作業が増加することが予想され、簡単に解決できる通信障害についても増加することが予想される。
【０００９】
また、特許文献１に開示される光通信システムでは、回線上の光信号多重反射による通信品質劣化を抑制するため、レベルモニタ回路により光受信レベルを検出し、この光受信レベルに基づき各ＯＮＵに対する光送信レベルを調整している。しかしながら、レベルモニタ回路の構成は複雑であり、かつ、各ＯＮＵに対する光送信レベル制御が必要であるため、高コスト要因となるという課題があった。特にＯＮＵは多ユーザに配置されるため、できるだけ低コストで実現しなければならないという課題がある。
【００１０】
この発明は、上記のような課題を解決するためになされたもので、ＯＮＵでの光受信レベルの劣化検出を低コストで実現し、かつ、ユーザ自身で障害１次切り分けを実施することで保守者派遣によるメンテナンスコストを削減することができるＧＥＰＯＮシステム、ＯＬＴおよびＯＮＵを提供することを目的としている。
【課題を解決するための手段】
【００１１】
この発明に係るＧＥＰＯＮシステムは、複数のＯＮＵと、各ＯＮＵとの間で通信を行うＯＬＴとを備え、ＯＮＵは、ＯＬＴからの光信号を受信するＯＮＵ側光受信部と、予め設定した閾値に基づいて、ＯＮＵ側光受信部により受信された光信号の光レベルの劣化を検出する劣化レベル検出回路と、劣化レベル検出回路により光レベルの劣化が検出された場合には、当該光レベルの劣化を示すレベル劣化情報をデータに重畳し、ＯＮＵ側光受信部を介してＯＬＴからレベル劣化アラームを受信した場合には、当該レベル劣化アラームが示す障害１次切り分けの実施内容をユーザに通知するＯＮＵ側ＰＯＮ制御部と、ＯＮＵ側ＰＯＮ制御部からのデータを光信号に変換し、ＯＬＴに送信するＯＮＵ側光送信部とを備え、ＯＬＴは、各ＯＮＵのＯＮＵ側光送信部からの光信号をデータに変換するＯＬＴ側光受信部と、ＯＬＴ側光受信部により変換されたデータからレベル劣化情報を検出した場合に、当該レベル劣化情報が示す光レベルの劣化に対する障害１次切り分けの実施内容を指示するレベル劣化アラームをデータに重畳するＯＬＴ側ＰＯＮ制御部と、ＯＬＴ側ＰＯＮ制御部からのデータを光信号に変換し、該当するＯＮＵに送信するＯＬＴ側光送信部とを備えたものである。
【発明の効果】
【００１２】
この発明によれば、上記のように構成したので、ＡＤＣなどの複雑なレベルモニタ回路および光送信レベル制御が不要となり、ＯＮＵでの光受信レベルの劣化検出を低コストで実現することができる。また、ユーザ自身で障害の１次切り分けを実施することで保守者派遣によるメンテナンスコストを削減することができる。
また、回線上の光信号多重反射による通信品質劣化については、回線設計で反射レベルダイヤを適切に設計することで回避することができる。また、ＧＥＰＯＮシステムにおいては、光受信レベルが劣化しているＯＮＵのみ着目すればよく、特に、光受信レベルが劣化しているＯＮＵの接続部などで回線設計以上の反射が発生している例も多いため、通信良好なＯＮＵの制御は不要である。
【図面の簡単な説明】
【００１３】
【図１】この発明の実施の形態１に係るＧＥＰＯＮシステムの構成を示す図である。
【図２】この発明の実施の形態１に係るＧＥＰＯＮシステムの光受信レベル劣化検出動作を示すフローチャートである。
【図３】この発明の実施の形態２に係るＧＥＰＯＮシステムの構成を示す図である。
【図４】この発明の実施の形態２における各劣化レベル検出回路が保持している閾値を示す図である。
【図５】この発明の実施の形態２に係るＧＥＰＯＮシステムの光受信レベル劣化検出動作を示すフローチャートである。
【発明を実施するための形態】
【００１４】
以下、この発明の実施の形態について図面を参照しながら詳細に説明する。
実施の形態１．
図１はこの発明の実施の形態１に係るＧＥＰＯＮシステムの構成を示す図である。
ＧＥＰＯＮシステムは、図１に示すように、複数の加入者宅内にそれぞれ設置される加入者側光回線終端装置（ＯＮＵ）１と、センタ局に設置される局側光回線終端装置（ＯＬＴ）２と、伝送路を最大３２本ないし６４本に分岐させ、各ＯＮＵ１とＯＬＴ２とを接続する光スプリッタなどの光分岐器３とから構成されている。なお図１では、複数のＯＮＵ１のうち、ＯＮＵ♯Ｎのみを図示している。
また、各ＯＮＵ１と光分岐器３との間、ＯＬＴ２と光分岐器３との間は光ファイバ４により接続され、各ＯＮＵ１とＯＬＴ２は一芯双方向光通信を行っている。なお、ＯＮＵ１からＯＬＴ２への伝送方向を上りとし、ＯＬＴ２からＯＮＵ１への伝送方向を下りとする。
【００１５】
ＯＮＵ１は、光送受信器１１、劣化レベル検出回路１２およびＰＯＮ制御部（ＯＮＵ側ＰＯＮ制御部）１３から構成されている。
光送受信器１１は、光受信部（ＯＮＵ側光受信部）１４および光送信部（ＯＮＵ側光送信部）１５から構成されている。
光受信部１４は、ＯＬＴ２からの下り通信光信号を受信し、電気信号に変換するものである。この光受信部１４により変換された電気信号は、下り通信データとしてＰＯＮ制御部１３に送信される。また、光受信部１４では、受信した下り通信光信号を劣化レベル検出回路１２にも送信する。
また、光送信部１５は、ＰＯＮ制御部１３からの上り通信データを受信し、光信号に変換するものである。この光送信部１５により変換された光信号は、上り通信光信号としてＯＬＴ２に送信される。
【００１６】
劣化レベル検出回路１２は、光受信部１４からの下り通信光信号の光レベル（光受信レベル）の劣化を検出するものである。この劣化レベル検出回路１２は、光レベルに対する閾値を予め設定し、下り通信光信号の光レベルと閾値とを比較することにより、光受信レベルの劣化を検出する。なお、閾値として、最小受信感度レベル（ＯＬＴ２と通信断になる手前の光レベル）を用いる。
ここで、劣化レベル検出回路１２は、下り通信光信号の光レベルが閾値未満であり、下り通信光信号の光レベルが劣化していると判断した場合には、光受信レベルが劣化していることを示すレベル劣化情報をＰＯＮ制御部１３に送信する。
【００１７】
また、劣化レベル検出回路１２は、光受信レベルの劣化を検出した後に、閾値に基づいて、光受信部１４からの下り通信光信号の光レベルの回復を検出する。ここで、劣化レベル検出回路１２は、下り通信光信号の光レベルが閾値以上となり、下り通信光信号の光レベルが回復したと判断した場合には、光受信レベルが回復したことを示すレベル回復情報をＰＯＮ制御部１３に送信する。
【００１８】
ＰＯＮ制御部１３は、光受信部１４からの下り通信データを下位装置（不図示）に送信し、また、下位装置からの上り通信データを光送信部１５に送信するものである。
また、ＰＯＮ制御部１３は、劣化レベル検出回路１２からレベル劣化情報を受信した場合には、このレベル劣化情報を上り通信データに重畳して光送信部１５に送信する。
また、ＰＯＮ制御部１３は、光受信部１４を介してＯＬＴ２から、光受信レベルの劣化を通知するとともに、この光受信レベルの劣化に対する障害１次切り分けの実施を指示するレベル劣化アラームを受信した場合には、このレベル劣化アラームをモニタ（不図示）に表示するなどしてユーザに通知する。
さらに、ＰＯＮ制御部１３は、劣化レベル検出回路１２からレベル回復情報を受信した場合には、このレベル回復情報を上り通信データに重畳して光送信部１５に送信する。
【００１９】
ＯＬＴ２は、光送受信器２１およびＰＯＮ制御部（ＯＬＴ側ＰＯＮ制御部）２２から構成されている。
光送受信器２１は、光受信部（ＯＬＴ側光受信部）２３および光送信部（ＯＬＴ側光送信部）２４から構成されている。
光受信部２３は、ＯＮＵ１からの上り通信光信号を受信し、電気信号に変換するものである。この光受信部２３により変換された電気信号は、上り通信データとしてＰＯＮ制御部２２に送信される。
光送信部２４は、ＰＯＮ制御部２２からの下り通信データを受信し、光信号に変換するものである。この光送信部２４により変換された光信号は、下り通信光信号として該当するＯＮＵ１に送信される。
【００２０】
ＰＯＮ制御部２２は、光受信部２３からの上り通信データを上位装置（不図示）に送信し、また、上位装置からの下り通信データを光送信部２４に送信するものである。
また、ＰＯＮ制御部２２は、光受信部２３により変換された上り通信データからＯＮＵ２のレベル劣化情報を検出した場合には、このＯＮＵ２に対するレベル劣化アラームを下り通信データに重畳して光送信部２４に送信する。
さらに、ＰＯＮ制御部２２は、光受信部２３により変換された上り通信データからＯＮＵ２のレベル回復情報を検出した場合には、このレベル回復情報をモニタ（不図示）に表示するなどして保守者に通知する。
【００２１】
次に、上記のように構成されたＧＥＰＯＮシステムの光受信レベル劣化検出動作について説明する。
図２はこの発明の実施の形態１に係るＧＥＰＯＮシステムの光受信レベル劣化検出動作を示すフローチャートである。なお以下では、ＯＮＵ♯ＮとＯＬＴ２との間での動作について説明を行う。
【００２２】
ＧＥＰＯＮシステムによる光受信レベル劣化検出動作では、図２に示すように、まず、ＯＮＵ♯Ｎの光受信部１４はＯＬＴ２からの下り通信光信号を受信する（ステップＳＴ２１）。この光受信部１４により受信された下り通信光信号は、電気信号に変換された後、下り通信データとしてＰＯＮ制御部１３を介して下位装置に送信される。また、光受信部１４により受信された下り通信光信号は、劣化レベル検出回路１２にも送信される。
【００２３】
次いで、劣化レベル検出回路１２は、予め設定した閾値に基づいて、光受信部１４からの下り通信光信号の光レベルの劣化を検出したかを判断する（ステップＳＴ２２）。
このステップＳＴ２２において、劣化レベル検出回路１２が、下り通信光信号の光レベルが閾値以上であり、下り通信光信号の光レベルは劣化していないと判断した場合には、シーケンスは終了する。
【００２４】
一方、ステップＳＴ２２において、劣化レベル検出回路１２は、下り通信光信号の光レベルが閾値未満であり、下り通信光信号の光レベルが劣化していると判断した場合には、ＰＯＮ制御部１３に対してレベル劣化情報を送信する（ステップＳＴ２３）。
【００２５】
次いで、ＰＯＮ制御部１３は、劣化レベル検出回路１２からレベル劣化情報を受信し、このレベル劣化情報を上り通信データに重畳して光送信部１５に送信する（ステップＳＴ２４）。光送信部１５に送信された、レベル劣化情報が重畳された上り通信データは、光信号に変換された後、ＯＬＴ２に送信される。
【００２６】
次いで、ＯＬＴ２のＰＯＮ制御部２２は、光受信部２３により変換された上り通信データからＯＮＵ♯Ｎのレベル劣化情報を受信し、このＯＮＵ♯Ｎに対するレベル劣化アラームを下り通信データに重畳して光送信部２４に送信する（ステップＳＴ２５）。この光送信部２４に送信されたレベルアラームが重畳された下り通信データは、光信号に変換された後、ＯＮＵ♯Ｎに送信される。
【００２７】
次いで、ＯＮＵ♯ＮのＰＯＮ制御部１３は、光受信部１４を介してＯＬＴ２からレベル劣化アラームを受信し、このレベル劣化アラームをモニタに表示するなどしてユーザに通知する（ステップＳＴ２６）。
その後、ユーザは、通知されたレベル劣化アラームによる指示内容（例えばマニュアルに基づく対処やメンテナンスセンタへの連絡など）に従い、障害１次切り分けを実施する。
【００２８】
ここで、障害１次切り分けとは、例えばＯＮＵ♯Ｎの光ファイバ４の引き回し方法の変更や光ファイバコネクタの清掃などを指す。
この障害１次切り分けの実施後、劣化レベル検出回路１２が閾値以上の光受信レベルを検出した場合には、上述と同様の手順にてＯＬＴ２にレベル回復情報を送信する。ＯＬＴ２ではレベル回復情報の検出により、ＯＮＵ＃Ｎが正常状態に回復したことを確認することができる。
なお、ユーザによる障害１次切り分けの実施によっても光受信レベルが回復しない場合には、従来通り保守者派遣による調査を行う。
【００２９】
このように、ＯＮＵ１での光受信レベルの劣化を検出して、ＯＬＴ２に通知することで、ＯＬＴ２側で光受信レベルが劣化しているＯＮＵ１を特定することができる。また、ＯＬＴ２は、光受信レベルが劣化しているＯＮＵのユーザに対して、通信異常となる前に正常状態に復旧するように障害１次切り分けの実施を指示することができる。そのため、通信品質を向上（通信断を回避）させることが可能となる。
【００３０】
以上のように、この実施の形態１によれば、ＡＤＣなどの複雑なレベルモニタ回路および光送信レベル制御が不要となり、ＯＮＵ１での光受信レベルの劣化検出を簡易な構成、かつ低コストで実現することができる。また、ＯＬＴ２側で、ＯＮＵ１からのレベル劣化情報を検出して、障害１次切り分けの実施を指示するように構成したので、ユーザ自身で障害の１次切り分けを実施することで保守者派遣によるメンテナンスコストを削減することができる。
また、回線上の光信号多重反射による通信品質劣化については、回線設計で反射レベルダイヤを適切に設計することで回避することができる。また、ＧＥＰＯＮシステムにおいては、光受信レベルが劣化しているＯＮＵ１のみ着目すればよく、特に、光受信レベルが劣化しているＯＮＵ１の接続部などで回線設計以上の反射が発生している例も多いため、通信良好なＯＮＵ１の制御は不要である。
【００３１】
実施の形態２．
図３はこの発明の実施の形態２に係るＧＥＰＯＮシステムの構成を示す図である。
図３に示す実施の形態２に係るＧＲＰＯＮシステムは、図１に示す実施の形態１に係るＧＥＰＯＮシステムの劣化レベル検出回路１２を、複数（Ｍ個）の劣化レベル検出回路１６ａ〜１６ｍに変更したものである。その他の構成は同様であり、同一の符号を付しその説明を省略する。
【００３２】
各劣化レベル検出回路１６ａ〜１６ｍは、構成および動作自体は実施の形態１に示す劣化レベル検出回路１２と同様である。ただし、この複数の劣化レベル検出回路１６ａ〜１６ｍは、それぞれ異なる閾値を有している。閾値としては、例えば図４に示すように、光受信レベルの初期値−３ｄＢを最大値とし、最小受信感度レベルを最小値として、等間隔で分割した光レベルを用いる。
この各劣化レベル検出回路１６ａ〜１６ｍは、下り通信光信号の光レベルが閾値未満であり、下り通信光信号の光レベルが劣化していると判断した場合には、用いた閾値を示す検出レベル情報を含むレベル劣化情報をＰＯＮ制御部１３に送信する。
【００３３】
また、ＰＯＮ制御部１３は、劣化レベル検出回路１６ａ〜１６ｍから検出レベル情報を含むレベル劣化情報を受信した場合には、このレベル劣化情報を上り通信データに重畳して光送信部１５に送信する。なお、複数の劣化レベル検出回路１６ａ〜１６ｍからレベル劣化情報を受信した場合には、閾値が最も小さい（劣化が最も重度な）レベル劣化情報を上り通信データに重畳する。
また、ＰＯＮ制御部２２は、光受信部２３を介してＯＮＵ１からレベル劣化情報を受信した場合には、レベル劣化情報に含まれる検出レベル情報に基づいて障害１次切り分け内容を選択し、この障害１次切り分けの実施を指示するレベル劣化アラームをデータに重畳する。
【００３４】
次に、上記のように構成されたＧＥＰＯＮシステムの光受信レベル劣化検出動作について説明する。
図５はこの発明の実施の形態２に係るＧＥＰＯＮシステムの光受信レベル劣化検出動作を示すフローチャートである。なお以下では、ＯＮＵ♯ＮとＯＬＴ２との間での動作について説明を行う。
【００３５】
ＧＥＰＯＮシステムによる光受信レベル劣化検出動作では、図５に示すように、まず、ＯＮＵ♯Ｎの光受信部１４はＯＬＴ２からの下り通信光信号を受信する（ステップＳＴ５１）。この光受信部１４により受信された下り通信光信号は、電気信号に変換された後、下り通信データとしてＰＯＮ制御部１３を介して下位装置に送信される。また、光受信部１４により受信された下り通信光信号は、各劣化レベル検出回路１６ａ〜１６ｍにも送信される。
【００３６】
次いで、各劣化レベル検出回路１６ａ〜１６ｍは、予め設定した閾値に基づいて、光受信部１４からの下り通信光信号の光レベルの劣化を検出したかを判断する（ステップＳＴ５２）。
このステップＳＴ５２において、すべての劣化レベル検出回路１６ａ〜１６ｍが、下り通信光信号の光レベルが閾値以上であり、下り通信光信号の光レベルは劣化していないと判断した場合には、シーケンスは終了する。
【００３７】
一方、ステップＳＴ５２において、下り通信光信号の光レベルが閾値未満であり、下り通信光信号の光レベルが劣化していると判断した劣化レベル検出回路１６ａ〜１６ｍは、ＰＯＮ制御部１３に対して検出レベル情報を含むレベル劣化情報を送信する（ステップＳＴ５３）。
【００３８】
次いで、ＰＯＮ制御部１３は、劣化レベル検出回路１６ａ〜１６ｍからレベル劣化情報を受信し、このレベル劣化情報を上り通信データに重畳して光送信部１５に送信する（ステップＳＴ５４）。なお、複数の劣化レベル検出回路１６ａ〜１６ｍからレベル劣化情報を受信した場合には、閾値が最も小さいレベル劣化情報を上り通信データに重畳する。光送信部１５に送信されたレベル劣化情報が重畳された上り通信データは、光信号に変換された後、ＯＬＴ２に送信される。
【００３９】
次いで、ＯＬＴ２のＰＯＮ制御部２２は、光受信部２３により変換された上り通信データからＯＮＵ♯Ｎのレベル劣化情報を受信し、レベル劣化情報に含まれる検出レベル情報に基づいて障害１次切り分け内容を選択し、このＯＮＵ♯Ｎに対するレベル劣化アラームを下り通信データに重畳して光送信部２４に送信する（ステップＳＴ５５）。この光送信部２４に送信されたレベルアラームが重畳された下り通信データは、光信号に変換された後、ＯＮＵ♯Ｎに送信される。
【００４０】
次いで、ＯＮＵ♯ＮのＰＯＮ制御部１３は、光受信部１４を介してＯＬＴ２からレベル劣化アラームを受信し、このレベル劣化アラームをモニタに表示するなどしてユーザに通知する（ステップＳＴ５６）。
その後、ユーザは、通知されたレベル劣化アラームによる指示内容に従い、障害１次切り分けを実施する。
【００４１】
ここで、障害１次切り分けとして、例えば、光受信レベルの劣化が軽度の場合には光ファイバ４の引き回し方法変更のみを行い、光受信レベルの劣化が重度の場合にはさらに光ファイバコネクタの清掃などを行う。これにより、光受信レベルの劣化が軽度の場合には、回線断とせずに障害１次切り分けを実施することでも、正常状態に復旧することができる場合がある。
この障害１次切り分けの実施後、光受信レベルの劣化を検出した劣化レベル検出回路１６ａ〜１６ｍが閾値以上の光受信レベルを検出した場合には、上述と同様の手順にてＯＬＴ２にレベル回復情報を送信する。ＯＬＴ２ではレベル回復情報により、ＯＮＵ＃Ｎが正常状態に回復したことを確認することができる。
なお、ユーザによる障害１次切り分けの実施によっても光受信レベルが回復しない場合は、従来通り保守者派遣による調査を行う。
【００４２】
以上のように、この実施の形態２によれば、光受信レベルの劣化検出を複数の閾値を用いて行い、閾値毎に障害１次切り分け内容を選択するように構成したので、劣化の度合いに応じた障害１次切り分けを実施させることができ、劣化が軽度の場合には、回線断とせずに、正常状態に回復させることができる場合がある。
また、閾値は、状況に応じてＭ個（Ｍは２以上の整数）設定することで、Ｍ段階の通信品質レベルを監視することが可能となり、光受信レベルの劣化に対する早期の対処が可能となる。
【００４３】
なお、本願発明の範囲内において、実施の形態を適宜組合せ、変更、省略などすることが可能である。
【符号の説明】
【００４４】
１  加入者側光回線終端装置（ＯＮＵ）、２  局側光回線終端装置（ＯＬＴ）、３  光分岐器、４  光ファイバ、１１  光送受信器、１２，１６ａ，１６ｂ，１６ｍ  劣化レベル検出回路、１３  ＰＯＮ制御部（ＯＮＵ側ＰＯＮ制御部）、１４  光受信部（ＯＮＵ側光受信部）、１５  光送信部（ＯＮＵ側光送信部）、２１  光送受信器、２２  ＰＯＮ制御部（ＯＬＴ側ＰＯＮ制御部）、２３  光受信部（ＯＬＴ側光受信部）、２４  光送信部（ＯＬＴ側光送信部）。
【図１】
0005557670.tif 000002
【図２】
0005557670.tif 000003
【図３】
0005557670.tif 000004
【図４】
0005557670.tif 000005
【図５】
0005557670.tif 000006